(57)【要約】【課題】伸縮性の異なる二つの基材を重ね、この境界で両者が剥離することを防ぐ伸縮性配線基板を提供する。【解決手段】伸縮性を有する伸縮性基材２０、伸縮性基材２０の一方の主面に重ねられ、伸縮性基材２０よりも低い伸縮性を有するフィルム基材１０、フィルム基材１０の少なくとも一部を挟んで伸縮性基材２０を覆う伸縮性カバー４０と、によって伸縮性配線基板１を形成する。このとき、フィルム基材１０は伸縮性基材２０を露出させる露出領域５、７を有し、伸縮性カバー４０は、露出領域５、７から露出した伸縮性基材２０と融着されている。【選択図】図１
2018107209.tif 000002
【特許請求の範囲】
【請求項１】
伸縮性を有する第１シート部材と、
前記第１シート部材の一方の主面に重ねられ、前記第１シート部材よりも低い伸縮性を有する第２シート部材と、
前記第２シート部材の少なくとも一部を挟んで前記第１シート部材に重ねられるカバー部材と、を備え、
前記第２シート部材は、前記第１シート部材を露出させる露出領域を有し、前記カバー部材は、前記露出領域から露出した前記第１シート部材と融着されていることを特徴とする、伸縮性配線基板。
【請求項２】
前記第１シート部材は伸縮性を有する配線を備え、前記カバー部材は、前記配線の少なくとも一部を覆う、請求項１に記載の伸縮性配線基板。
【請求項３】
前記露出領域は、前記第２シート部材の外縁に沿って形成されている、請求項１または２に記載の伸縮性配線基板。
【請求項４】
前記露出領域は、前記第２シート部材を貫通する貫通孔である、請求項１から３のいずれか１項に記載の伸縮性配線基板。
【請求項５】
伸縮性を有する第１シート部材と、前記第１シート部材の一方の主面に重ねられ、前記第１シート部材よりも低い伸縮性を有する第２シート部材と、前記第２シート部材の少なくとも一部を挟んで前記第１シート部材に重ねられるカバー部材と、を備える伸縮性配線基板の製造方法であって、
前記第２シート部材に露出領域を形成する工程と、
前記露出領域を有する前記第２シート部材を前記第１シート部材と重ねる工程と、
前記カバー部材を前記露出領域から露出した前記第１シート部材と融着する工程と、
を含むことを特徴とする、伸縮性配線基板の製造方法。
【発明の詳細な説明】
【技術分野】
【０００１】
本発明は、伸縮性配線基板及び伸縮性基板の製造方法に関する。
【背景技術】
【０００２】
近年、ウェアラブルデバイスやメディカルデバイスの市場では生体センサや生体情報モニタに対する関心が高まっている。たとえばスポーツ業界では、競技者の身体能力や技量をより向上させるため、身体動作を高精度に定量化することが試みられている。かかる場合、生体の動きを検知するウェアラブルな生体センサが適用されることがある。また医療業界では、疾病の治療や未病対策のために心電図や心拍数、血圧、体温といったバイタルサイン（生体情報）を検出することが試みられており、かかる場合には生体情報を検知する生体情報モニタを適用することがある。生体センサや生体情報モニタは一般に衣服や装具に設けられ、これらの衣服や装具を身につけることでセンシングやモニタが行われる。
【０００３】
しかしながら、人体が動くことで衣服や装具は身体から僅かにずれるため、衣服や装具に設けられた生体センサや生体情報モニタが生体の対象部位からずれてセンシング精度やモニタ精度が著しく低下するという問題がある。
【０００４】
上記の問題は、生体センサや生体情報モニタを人体に直接に貼り付けることで抑制される。そこで近年、面内方向に伸縮性を有する基材や配線を有する伸縮性（ストレッチャブル）エレクトロニクスと呼ばれる技術が検討され、人体の関節等の動きに追随して伸縮可能な配線基板が提案されている。また、生体センサや生体情報モニタを医療用途等で用いる場合には、感染症の防止の観点から、当該生体センサのうち、少なくとも生体に触れる部分や生体の近くで用いられる部分を使い捨てとすることが望まれている。
【０００５】
この種の伸縮性配線基板として、特許文献１には、伸縮性基材と導電性微粒子及びエラストマーを含む導電パターンとから構成されて基板全体が伸縮性を備える回路基板が記載されている。また特許文献２には、伸縮性基材よりもヤング率の大きい材料からなるアイランドを印刷法により薄膜形成して基材に埋め込んだ伸縮性配線基板が記載されている。アイランドには素子が実装され、アイランド同士は伸縮性の配線で接続されている。これにより、伸縮性基材が伸縮した際に、素子の破壊やアイランドと基材との境界を跨ぐ配線の断線を防止することができるとされている。
【先行技術文献】
【特許文献】
【０００６】
【特許文献１】特開２０１４−２３６１０３号公報
【特許文献２】特開２０１４−１６２１２４号公報
【発明の概要】
【発明が解決しようとする課題】
【０００７】
ところで、本発明者は、伸縮性配線基板において検出された信号を出力するため、伸縮配線を外部端子と重ねることによって接続し、外部機器のコネクタに外部端子を挿抜可能にすることを考えている。このような構成において、外部端子が形成される部分は、伸縮性配線と異なる硬質の非伸縮基材によって構成されることが予測される。このとき、外部端子を手に持って伸縮性配線基板をコネクタに挿抜すると、伸縮基材と非伸縮基材との界面に張力がかかって両者が剥離する恐れがある。
しかしながら、上記した特許文献１及び特許文献２には、伸縮性の異なる基材が接続された部分が剥離することについて何ら考慮はされていない。
本発明は上述のような課題に鑑みてなされたものであり、伸縮性の異なる二つの基材を重ね、この境界で両者が剥離することを防ぐことが可能な伸縮性配線基板、生体センサシート及び伸縮性基板の製造方法を提供するものである。
【課題を解決するための手段】
【０００８】
本発明の一態様の伸縮性配線基板は、伸縮性を有する第１シート部材と、前記第１シート部材の一方の主面に重ねられ、前記第１シート部材よりも低い伸縮性を有する第２シート部材と、前記第２シート部材の少なくとも一部を挟んで前記第１シート部材に重ねられるカバー部材と、を備え、前記第２シート部材は、前記第１シート部材を露出させる露出領域を有し、前記カバー部材は、前記露出領域から露出した前記第１シート部材と融着することを特徴とする。
【０００９】
本発明の一態様の伸縮性配線基板の製造方法は、伸縮性を有する第１シート部材と、前記第１シート部材の一方の主面に重ねられ、前記第１シート部材よりも低い伸縮性を有する第２シート部材と、前記第２シート部材の少なくとも一部を挟んで前記第１シート部材に重ねられるカバー部材と、を備える伸縮性配線基板の製造方法であって、前記第２シート部材に露出領域を形成する工程と、前記露出領域を有する前記第２シート部材を前記第１シート部材と重ねる工程と、前記カバー部材を前記露出領域から露出した前記第１シート部材と融着する工程と、を含むことを特徴とする。
【発明の効果】
【００１０】
本発明によれば、伸縮性の異なる二つの基材を重ね、この境界で両者が剥離することを防ぐ伸縮性配線基板、生体シート及び伸縮性基板の製造方法を提供することができる。
【図面の簡単な説明】
【００１１】
【図１】本発明の一実施形態の伸縮性配線基板の上面図及び断面図である。
【図２】図１に示した伸縮性配線基板の製造方法を説明するための図である。
【図３】図２に続く、図１に示した伸縮性配線基板の製造方法を説明するための図である。
【００１２】
［伸縮性配線基板］
以下、本発明の一実施形態の伸縮性配線基板１を説明する。
図１（ａ）は、本実施形態の伸縮性配線基板１の上面図である。図１（ｂ）は、図１（ａ）中に示した矢線Ｃ−Ｃに沿う断面図である。各図面において、対応する構成要素には共通の符号を付し、重複する説明は適宜省略する。
なお、本明細書でいう「面」とは、幾何学的に完全な平面であることを要するものではなく、凹部または凸部を有することを許容する。また、本明細書でいう「フィルム」とは、シートや膜状物等、一般的に厚みの薄い形状物を広く含む。即ち、シート、フィルムまたは膜状物等の称呼の違いにより個別の厚みの大小を規定するものではない。
また、本実施形態は、便宜上、以下の説明において図の下方側を下面側、上方側を上面側と呼称する場合がある。ただし、これは構成要素の相対的な位置関係を説明するために便宜的に規定するものであり、重力方向の上下とは必ずしも一致しない。
【００１３】
本実施形態の伸縮性配線基板１は、伸縮性を有する第１シート部材である伸縮性基材２０と、伸縮性基材２０の一方の主面に重ねられ、伸縮性基材２０よりも低い伸縮性を有するフィルム基材１０と、を備えている。また、伸縮性配線基板１は、図１（ｂ）に示すように、フィルム基材１０を挟んで伸縮性基材２０に重ねられるカバー部材である伸縮性カバー４０を備えている。
また、伸縮性配線基板１は、フィルム基材１０が、伸縮性基材２０を露出させる露出領域５、露出領域７を有している。伸縮性カバー４０は、露出領域５、７から露出した伸縮性基材２０と融着している。
上記記載において、「上面」とは、伸縮性配線基板１を例えば生体に貼付して使用する場合の貼付される側の面を指す。矢線Ｃ−Ｃは、外部端子１３、配線３０、露出領域５及び端子３２を通る直線である。融着とは、伸縮性基材２０と伸縮性カバー４０とを加熱及び加圧し、少なくとも一方が軟化して他方との隙間に入り込むように他方と接着することをいう。
【００１４】
フィルム基材１０は、上記したように、露出領域５及び露出領域７を有している。本実施形態の露出領域５、７は、フィルム基材１０を貫通する貫通孔であり、フィルム基材１０の外周縁よりも内側に配置されている。すなわち、フィルム基材１０は伸縮性基材２０の一部と重ねられ、下面が伸縮性基材２０と接している。このようなフィルム基材１０では、貫通孔の露出領域５及び露出領域７から伸縮性基材２０が外面に露出した状態になる。そして、フィルム基材１０の露出領域５、７が形成された領域を挟んで伸縮性基材２０に伸縮性カバー４０を設けると、露出領域５、７から露出した伸縮性基材２０と伸縮性カバー４０とが接する、あるいは近接するように配置される。このような状態において、伸縮性基材２０、フィルム基材１０及び伸縮性カバー４０を融着すると、伸縮性カバー４０が露出領域５、７に入り込んで伸縮性基材２０と強固に接着するようになる。
【００１５】
また、図１（ａ）に示すように、露出領域５、７は、フィルム基材１０部材の外縁に沿って形成されている。露出領域５、７のこのような形状は、伸縮性基材２０からフィルム基材１０が剥離することを効果的に抑止することができる。即ち、フィルム状の部材の剥離は、部材の縁から始まるものと考えられる。このため、フィルム基材１０の剥離を防ぐためには、フィルム基材１０の外縁において伸縮性カバー４０と伸縮性基材２０とを融着して剥離し得ない状態にしておくことが効果的である。
また、本実施形態では、露出領域５、７の他に、さらに露出領域を形成し、伸縮性カバー４０と伸縮性基材２０とが融着する箇所を増やしても良い。ただし、本実施形態では、フィルム基材１０に貫通孔を設けても、フィルム基材１０の剛性が低下することがないように、フィルム基材１０の外縁部に優先して露出領域５、７を形成して露出領域が占める面積を最小限に抑えながら剥離防止の効果を高めるようにした。
【００１６】
また、本実施形態は、このような構成に限定されるものではない。例えば、露出領域５、７は貫通孔でなく、フィルム基材１０の外周縁を含む形状（切欠き形状）のものであってもよい。このような露出領域の形状は、フィルム基材１０の外周縁の剥離をより完全に防ぐことができる。ただし、露出領域５、７を型抜きされた貫通孔とした場合、フィルム基材１０と伸縮性基材２０とを重ね合わせる際に位置合わせの精度によらず伸縮性基材２０を露出領域５、７の全体から露出させるという観点においては、露出領域５、７は切欠き形状よりも貫通孔であることが望ましい。さらに、露出領域５、７を切欠き形状とした場合、露出領域５、７と外周縁との間のフィルム基材１０が剥離する可能性が生じるが、このような位置のフィルム基材１０の剥離は伸縮性配線基板１の品質に与える影響が小さいために許容できることが多い。このような場合、本実施形態の伸縮性配線基板１は、フィルム基材１０の外周縁の僅かな剥離を許容しながら、フィルム基材１０と伸縮性基材２０との密着性を担保することができる。
さらに、露出領域５，７の形状及び個数は図１に示した形状に限定されるものでなく、フィルム基材１０の剥離を防止するのに充分な面積を確保できるものであれば、どのような形状及び個数であってもよい。
【００１７】
さらに、伸縮性配線基板１は、フィルム基材１０上に形成される外部端子１３と、外部端子１３に接続される配線３０と、配線３０の外部端子１３とは反対側の端部に形成される端子３２と、を備えている。配線３０は、伸縮性を有する伸縮配線である。
本実施形態では、伸縮性配線基板１の全体のＸ方向の長さ（伸縮性配線基板の長さ）をＬ、伸縮性配線基板１のＸ方向の最大長さをＡ、フィルム基材１０との境界からＸ方向の端部までの長さをＢとする。また、本実施形態では、伸縮性基材２０のＹ方向の長さ（伸縮性基材の幅）をＷとする。
以下、このような伸縮性配線基板１の各構成について説明する。
【００１８】
（フィルム基材）
フィルム基材１０は、可撓性を有する部材であって、伸縮性基材２０よりも大きなヤング率を有している。なお、本実施形態では、フィルム基材１０は伸縮性基材２０よりも伸縮性が低く、実質的に殆ど伸縮しない部材とする。フィルム基材１０の材質は特に限定されないが、ポリエチレンテレフタレート（ＰＥＴ）、ポリエチレンナフタレート（ＰＥＮ）、ポリイミド（ＰＩ）、ポリフェニレンサルファイド（ＰＰＳ）またはフッ素樹脂等の、低摺動性、耐食性かつ高強度の合成樹脂を用いることができる。このほか、フィルム基材１０には、セルロースナノファイバーペーパー等相応の耐久性を備えた紙素材を用いてもよい。
【００１９】
フィルム基材１０の厚みは、１０μｍ以上２００μｍ以下とすることができ、望ましくは２５μｍ以上１５０μｍ以下であり、より望ましくは５０μｍ以上１００μｍ以下である。また、フィルム基材１０の厚みは伸縮性基材２０の厚みよりも厚くすることが好ましい。フィルム基材１０の厚みを上記範囲とすることで、外部端子１３が形成される領域の面内剛性を十分に高めることができるとともに、伸縮性配線基板１の全体の厚みを抑制することができる。
【００２０】
（伸縮性基材）
伸縮性基材２０は、フィルム基材１０よりも高い伸縮性を有している。伸縮性基材２０を構成する好ましい素材としては、ニトリルゴム、ラテックスゴム、ウレタン系エラストマー等のエラストマー材料を挙げることができるが、これに限定されない。特に、医療用に用いられるウレタン系エラストマーシートを用いることで、人体の皮膚に貼り付けた場合でも高い安全性を得ることができる。
【００２１】
伸縮性基材２０の厚みは特に限定されないが、伸縮性配線基板１を適用する対象物（対象面）の伸縮の動きを阻害しないという観点からは、たとえば、厚みは１００μｍ以下であることが好ましい。伸縮性基材２０の厚みは、より望ましくは２５μｍ以下であり、更に望ましくは１０μｍ以下である。
【００２２】
伸縮性基材２０は、最大伸び率が、１０％以上であることが好ましく、５０％以上であることがより好ましく、１００％以上であることがさらに好ましく、２００％以上であることが特に好ましい。上述する素材からなる伸縮性基材２０であれば、たとえば、最大伸び率３００％以上を発揮することが可能である。ここで伸縮性基材２０の最大伸び率とは、面内方向の一方向に弾性変形可能な伸び率の最大値のことをいう。
なお、本明細書において伸び率とは、外力が付加されていない場合の寸法（伸び率０％寸法）に対し、力が加えられることで面内方向の一方向に伸びた割合を意味する。たとえば伸び率５０％であれば伸び率０％寸法の１．５倍の伸び率であり、伸び率１００％であれば伸び率０％寸法の２倍の伸び率である。
【００２３】
（伸縮性カバー）
前記したように、伸縮性基材２０には伸縮性を有する配線３０が形成されている。伸縮性カバー４０は、配線３０の少なくとも一部を覆い、配線３０を保護する部材である。このような伸縮性カバー４０は、絶縁性かつ伸縮性の材料から構成されることが好ましい。伸縮性カバー４０には、たとえばエラストマー材料を用いることができ、伸縮性基材２０と共通の樹脂材料を用いてもよい。これにより、伸縮性基材２０の伸縮性を損なうことなく配線３０を保護することができる。本実施形態の伸縮性カバー４０は、予めシート状に作成された伸縮性カバー４０を、フィルム基材１０及び伸縮性基材２０に対して貼付して接合される。
伸縮性カバー４０の厚みは特に限定されないが、伸縮性配線基板１の伸縮性を妨げないという観点からは、１００μｍ以下であることが好ましく、５０μｍ以下であることがより好ましく、３０μｍ以下であることがさらに好ましい。
【００２４】
（配線）
外部端子１３は、複数の端子部によって構成されている。本実施形態では、端子部は複数の配線３０と１対１に対応して直接接続されている。端子部と配線部との接合は、例えば、ラミネート接続や加圧プレスによって行われる。
配線３０の厚み寸法及び幅寸法は、配線３０の無負荷時の伸縮性基材２０の伸張時の抵抗変化のほか、伸縮性配線基板１の全体の厚み寸法及び幅寸法の制約に基づいて決定することができる。伸縮性基材２０の伸張時の寸法変化に追従させて良好な伸縮性を確保するという観点からは、配線３０の幅寸法は、１０００μｍ以下であることが好ましく、５００μｍ以下であることがより好ましく、２００μｍ以下であることがさらに好ましい。各配線３０の厚み寸法は、２５μｍ以下とすることができ、望ましくは１０μｍ以上１５μｍ以下である。
【００２５】
［伸縮性配線基板１の製造方法］
次に、以上説明した伸縮性配線基板１の製造方法について説明する。
本実施形態の伸縮性配線基板１の製造方法は、フィルム基材１０に露出領域５、７を形成する工程と、露出領域５、７を有するフィルム基材１０を伸縮性基材２０と重ねる工程と、伸縮性カバー４０を露出領域５、７から露出した伸縮性基材２０と融着する工程と、を含んでいる。以下、各工程を具体的に説明する。
図２及び図３は、伸縮性配線基板１の製造方法を説明するための図であって、図１中の矢線Ｃ−Ｃに沿う伸縮性配線基板１の断面図である。なお、図２及び図３は、伸縮性配線基板１の製造プロセスを説明するための模式図であって、その寸法形状や縦横比を正確に表したものではない。
【００２６】
本実施形態では、先ず、図２（ａ）に示す伸縮性基材２０を用意する。図２（ａ）に示した伸縮性基材２０は、樹脂フィルムや紙製のセパレータ２０ａ上に貼付されている。図２（ａ）に示した伸縮性基材２０上には、図２（ｂ）のように、伸縮性を有する配線３０が形成されている。本実施形態の配線３０は、両端部に中央部に比べて厚い端子３１、３２が形成されている。端子３１は、後述するように外部端子１３と接続される端子となり、端子３２は、図１に示した伸縮性配線基板１に電気信号を入力する電極（図示せず）と接続される。
【００２７】
配線３０は、導電材料を含んで構成されており導電性を有する。配線３０を構成する導電材料としては、銀、金、白金、カーボン、銅、アルミニウム、コバルトもしくはニッケル、またはこれらの合金等の導電性の良好な材料を選択することができる。導電材料の形状は特に限定されないが、顆粒または粉体等の粒子状とすることができる。粒子形状は特に限定されず、球状、針状、フレーク状、ナノワイヤ状等とすることができる。
配線３０は、さらに樹脂バインダを含むことが好ましい。すなわち、本実施形態の配線３０は、樹脂材料に導電性粒子が分散して配合された導電性材料で形成されている。配線３０が樹脂バインダを含むことにより、伸縮性基材２０の伸縮によって配線３０が破断することが抑制される。樹脂バインダとしては、たとえばウレタンやアクリルに代表される樹脂バインダ等の熱可塑性のエラストマー材料を挙げることができるが、これに限定されない。樹脂バインダとしては、塗膜化された状態における配線３０の弾性率が伸縮性基材２０の弾性率に比して同等か、またはより小さくなるように低ヤング率のものを選定することが望ましい。エラストマー材料は一種類で用いてもよく、または複数種類のエラストマー材料を混合して用いてもよい。
【００２８】
配線３０の形成方法は特に限定されないが、たとえば印刷法により形成することができる。すなわち、本実施形態の配線３０は、伸縮性を有する導電性ペーストを印刷塗布して形成された印刷パターンである。このような印刷パターンは、導電性ペーストの塗布後、導電性ペーストを所定の時間加熱されて乾燥、固化する工程を経て形成される。
具体的な印刷法は特に限定されないが、たとえば、スクリーン印刷方法、インクジェット印刷方法、グラビア印刷方法、オフセット印刷方法等を例示することができる。このうち、微細解像性や厚膜安定性の観点から、スクリーン印刷が好適に用いられる。
また、印刷法で配線３０を形成する場合、上述した導電性粒子及び樹脂バインダならびに有機溶剤を含む導電性ペーストを調製して印刷法に供するとよい。配線３０に、銀等の金属粒子を主成分とする伸縮性の導電性ペーストを用いることによって、たとえば５０％以上７０％以下程度の伸び率を実現することができ、伸長特性に優れた配線の形成が可能となる。
【００２９】
図２（ａ）、図２（ｂ）に示した工程と平行して、本実施形態では、図２（ｃ）に示したように、フィルム基材１０を準備する。図２（ｃ）に示したフィルム基材１０には、易接着層１０ａが形成されている。易接着層１０ａは、伸縮性基材２０と同一の材料を塗布して形成された薄膜である。図２（ｄ）に示すように、フィルム基材１０には、露出領域５が形成される。露出領域５は、フィルム基材１０を貫通する貫通孔である。さらに、図２（ｅ）に示すように、易接着層１０ａの塗布面に、図１に示した複数の外部端子１３が形成される。外部端子１３の各々は、カーボンペースト等の耐摩耗性かつ導電性の被膜を積層して作成することができる。カーボンペーストの積層は、例えば、印刷法によって行うことができる。印刷法では、各外部端子１３のパターンに合わせて導電性部材を含むカーボンペーストをフィルム基材１０に塗布した後、所定の温度、時間で乾燥または硬化させ、固化する。カーボンペーストは非金属性のカーボンを導電性粒子として用いるためイオンマイグレーションの抑制や耐摩耗性の向上が期待できる。
本発明に係るフィルム基材１０は、伸縮性基材２０に対向する面側に易接着層１０ａが形成されていることから、外部端子１３とフィルム基材１０との密着性の担保はもちろん、伸縮性基材２０とフィルム基材１０とをラミネート処理した場合の密着性もまた担保できるものである。一方、フィルム基材１０のうち、易接着層１０ａが形成された面とは反対面には、易接着層は形成されていないことから、フィルム基材１０ａと伸縮性カバー４０との密着性は、フィルム基材１０ａと伸縮性基材２０の場合に比べて低下傾向にある。
【００３０】
次に、本実施形態では、図３（ｆ）に示すように、伸縮性カバー４０を用意する。図３（ｆ）に示した伸縮性カバー４０は、樹脂フィルムや紙製のセパレータ４０ａに貼付されている。セパレータ４０ａに貼付された状態の伸縮性カバー４０には、図３（ｇ）のように、開口部４５が開口される。開口部４５は、配線３０の端子３２が電極として例えば生体等の外部と電気的なコンタクトをとるために形成される開口部である。伸縮性カバー４０及びセパレータ４０ａは、図２（ｂ）に示した状態の伸縮性基材２０及び図２（ｅ）に示したフィルム基材１０と位置合わせされた後、図３（ｉ）に示したように、ラミネート処理によって貼り合わされる。なお、本実施形態のラミネート処理は、セパレータ４０ａ及びセパレータ２０ａを介して伸縮性カバー４０と伸縮性基材２０とを加熱及び加圧して圧着する処理を指す。伸縮性カバー４０は、ラミネート処理されたことによって軟化すると共に露出領域５内に入り込み、伸縮性基材２０に密着する。一方、伸縮性基材２０も露出領域５内に入り込んでいて、伸縮性基材２０と伸縮性カバー４０とが融着している融着面は、フィルム基材１０の厚みの幅内に位置している。融着面は、伸縮性基材２０と伸縮性カバー４０との界面として存在していてもよいし、融着面において伸縮性基材２０と伸縮性カバー４０とが溶融一体化していてもよい。露出領域５の周囲には露出領域５に入り込んだ伸縮性カバー４０によって段差が生じている。また、伸縮性カバー４０は、端子３２の一部にも乗り上げて段差を生じている。
図３（ｊ）は、伸縮性配線基板１の使用時の状態を示す図である。伸縮性配線基板１からは、使用時にセパレータ４０ａ、セパレータ２０ａが剥離される。
【００３１】
以上説明した本実施形態の伸縮性配線基板１は、フィルム基材１０と伸縮性基材２０とを伸縮性カバー４０によって融着する。このため、フィルム基材１０と伸縮性基材２０とが強固に繋がってフィルム基材１０と伸縮性カバー４０とが剥離することを防ぐことができる。また、フィルム基材１０と伸縮性基材２０とを融着するための露出領域をフィルム基材１０の縁に沿って配置しているため、フィルム基材１０の縁から内部に伝播しようとする剥離を防ぎ、フィルム基材１０及び伸縮性カバー４０の剥離抑止効果を高めることができる。
さらに、本実施形態は、フィルム基材１０に露出領域５、７を形成することによって実現でき、新たな工程を追加することが必要ない。このため、伸縮性配線基板１の製造工程を増やすことがなく、スループットを落とさずにフィルム基材１０の剥離を抑止することができる。
なお、このような本実施形態の伸縮性配線基板１は、端子３２を人体等の生体から電気信号を入力する生体電極（図示せず）と接続し、生体センサシートに適用することができる。そして、伸縮性配線基板１を適用した生体センサシートは、伸縮性基材２０が伸縮性を有するために生体に取り付けた場合にも生体が感じる煩わしさや苦痛を少なくすることができる。
【００３２】
以上説明した本発明は、上述の実施形態に限定されるものではなく、本発明の目的が達成される限りにおける種々の変形、改良等の態様も含む。
たとえば、伸縮性配線基板１には、人体の表面に伸縮性配線基板１を貼り付けるための貼付層（図示せず）を設けてもよい。貼付層は、伸縮性配線基板１の用途により、伸縮性配線基板１の上面側に設けてもよく、または下面側に設けてもよい。貼付層はゲル剤や粘着剤により作成することができる。
本発明の伸縮性配線基板１の各種の構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００３３】
上記実施形態は、以下の技術思想を包含するものである。
（１）伸縮性を有する第１シート部材と、前記第１シート部材の一方の主面に重ねられ、前記第１シート部材よりも低い伸縮性を有する第２シート部材と、前記第２シート部材の少なくとも一部を挟んで前記第１シート部材に重ねられるカバー部材と、を備え、前記第２シート部材は、前記第１シート部材を露出させる露出領域を有し、前記カバー部材は、前記露出領域から露出した前記第１シート部材と融着されていることを特徴とする、伸縮性配線基板。
（２）前記第１シート部材は伸縮性を有する配線を備え、前記カバー部材は、前記配線の少なくとも一部を覆う、（１）の伸縮性配線基板。
（３）前記露出領域は、前記第２シート部材の外縁に沿って形成されている、（１）または（２）の伸縮性配線基板。
（４）前記露出領域は、前記第２シート部材を貫通する貫通孔である、（１）から（３）のいずれか１つに記載の伸縮性配線基板。
（５）伸縮性を有する第１シート部材と、前記第１シート部材の一方の主面に重ねられ、前記第１シート部材よりも低い伸縮性を有する第２シート部材と、前記第２シート部材の少なくとも一部を挟んで前記第１シート部材に重ねられるカバー部材と、を備える伸縮性配線基板の製造方法であって、前記第２シート部材に露出領域を形成する工程と、前記露出領域を有する前記第２シート部材を前記第１シート部材と重ねる工程と、前記カバー部材を前記露出領域から露出した前記第１シート部材と融着される工程と、を含むことを特徴とする、伸縮性配線基板の製造方法。
【符号の説明】
【００３４】
１・・・伸縮性配線基板
５、７・・・露出領域
１０・・・フィルム基材
１０ａ・・・易接着層
１３・・・外部端子
２０・・・伸縮性基材
２０ａ，４０ａ・・・セパレータ
３０・・・配線
３１、３２・・・端子
４０・・・伸縮性カバー
４５・・・開口部
【図１】
2018107209.tif 000003
【図２】
2018107209.tif 000004
【図３】
2018107209.tif 000005